(57)【要約】【課題】  記録領域と未記録領域とが混在したＤＶＤ−ＲＡＭディスクから信号が読み込まれる場合等、読み込まれる信号に含まれる低域成分のレベルが変動する場合にも光ディスクを正しく再生することができる光ディスク再生装置を提供する。【解決手段】  入力信号の低域変動分を抽出する、カットオフ周波数が可変な第２のローパスフィルタ手段１０５が設けられ、また、ホールド制御手段１０８によって、ＤＶＤ−ＲＡＭディスクの未記録領域の読み込みが検出される。ＤＶＤ−ＲＡＭディスクの未記録領域の読み込みが検出された場合に、第２のローパスフィルタ手段１０５が未記録領域の信号変化に追従する前に、第２のローパスフィルタ手段１０５の入力がハイインピーダンス状態されることによって、記録領域の低域成分が第２のローパスフィルタ手段１０５に保持される。【選択図】  図１
2006048819.tif 000002
【特許請求の範囲】
【請求項１】
データが記録されるデータ部と、データの記録位置を示すアドレス情報が記録されたアドレス部とを有する光ディスクから信号を読み込んで再生する光ディスク再生装置であって、
前記アドレス部が読み込まれて入力されたアドレス部信号の低域成分を抽出するとともに、ホールド信号に応じて出力を保持する第１のローパスフィルタ手段と、
前記データ部が読み込まれて入力されたデータ部信号の低域成分を抽出するとともに、ホールド信号に応じて出力を保持する第２のローパスフィルタ手段と、
入力されたアドレス部信号またはデータ部信号から、その信号に応じた前記第１のローパスフィルタ手段または第２のローパスフィルタ手段の出力を減算する減算手段と、
前記減算手段の出力に応じて、前記ホールド信号を出力するホールド制御手段と、
を備えたことを特徴とする光ディスク再生装置。
【請求項２】
請求項１の光ディスク再生装置であって、
前記ホールド制御手段は、前記減算手段の出力が適切でない場合に、前記ホールド信号を出力して、第１のローパスフィルタ手段、または第２のローパスフィルタ手段に適切な出力を保持させるように構成されていることを特徴とする光ディスク再生装置。
【請求項３】
請求項１の光ディスク再生装置であって、
第１のローパスフィルタ手段、および第２のローパスフィルタ手段は、それぞれ抵抗とコンデンサとを備えて構成され、入力信号が遮断されることによって、出力を保持するように構成されていることを特徴とする光ディスク再生装置。
【請求項４】
請求項１の光ディスク再生装置であって、
第１のローパスフィルタ手段、および第２ローパスフィルタ手段は、カットオフ周波数を可変に構成され、
さらに、アドレス部信号が入力された際、およびデータ部信号入力された際に、所定の期間、前記第１のローパスフィルタ手段、または第２ローパスフィルタ手段のカットオフ周波数を高くするカットオフ周波数制御手段を備えたことを特徴とする光ディスク再生装置。
【請求項５】
請求項２の光ディスク再生装置であって、
前記ホールド制御手段は、データが記録されていない前記データ部を検出した場合に、前記ホールド信号を出力して、第２のローパスフィルタ手段に適切な出力を保持させるように構成されていることを特徴とする光ディスク再生装置。
【請求項６】
請求項２の光ディスク再生装置であって、
前記ホールド制御手段は、光ディスクから読み込まれる信号のドロップアウト、または光ディスクから信号を読み取る光ピックアップのシーク動作の少なくとも１つを検出した場合に、前記ホールド信号を出力して、第１のローパスフィルタ手段、および第２のローパスフィルタ手段に適切な出力を保持させるように構成されていることを特徴とする光ディスク再生装置。
【請求項７】
請求項１から請求項６のうち何れか１項の光ディスク再生装置であって、
前記ホールド制御手段は、光ディスク再生装置が起動されてから所定の期間は、前記ホールド信号の出力を抑制するように構成されていることを特徴とする光ディスク再生装置。
【発明の詳細な説明】
【技術分野】
【０００１】
本発明は、ＤＶＤ−ＲＡＭディスク等の光ディスクから信号を読み込んで再生する光ディスク再生装置に関するものである。
【背景技術】
【０００２】
光ディスク再生装置では、ＤＶＤ−ＲＡＭ（Ｄｉｇｉｔａｌ  ｖｅｒｓａｔｉｌｅ  Ｄｉｓｃ−Ｒａｎｄｏｍ  Ａｃｃｅｓｓ  Ｍｅｍｏｒｙ）ディスク等の光ディスクから信号を読み込んでデータを再生する場合、光ピックアップから入力された信号（全加算信号）に対しＰＬＬ（Ｐｈａｓｅ  Ｌｏｃｋｅｄ  Ｌｏｏｐ）を用いて再生クロックを抽出し、データの再生を行っている。
【０００３】
前記ＤＶＤ−ＲＡＭディスクは、あらかじめアドレス情報が記録されたアドレス部と、ユーザデータ等のデータが記録されるデータ部とに分離されて情報が記録されるようになっている。このアドレス情報は、前側アドレスと後側アドレスの２つの情報に分けられ、２つのアドレス情報のうち、一方がデータが記録されたトラックに対し、内周側、他方が外周側、にトラックオフセットが設けられたうえ、ピットとして記録されている（プリピットアドレス）。
【０００４】
このように、プリピットアドレスが、データが記録されたトラックに対し、所定のトラックオフセットが設けられて記録されている光ディスクでは、アドレス部は、データ部に比べ、ＤＣ的な反射光量が大きいため、アドレス部が読み込まれた際の全加算信号は、データ部が読み込まれた際の全加算信号に対して、一定のＤＣオフセット成分を持っている。ＤＣオフセット成分を持っているままでは、正しく再生クロックの抽出等が行えず、正しくデータの再生を行えない。したがって、光ディスク再生装置で、前記プリピットアドレスを有する光ディスクの再生を行うには、ＤＣオフセット成分を打ち消す必要がある。
【０００５】
ＤＣオフセット成分を打ち消す手段（インライン化手段）としては、前記全加算信号から、ローパスフィルタ手段によって抽出した低域成分（ＤＣ成分）を、減算回路によって減算するようにしたものがある（例えば、特許文献１）。
【０００６】
通常、このインライン化手段は、高倍速再生や安定性等を考慮して、アドレス部用とデータ部用とに、互いにカットオフ周波数が異なる別個のローパスフィルタ手段で低域成分を抽出するように構成される。具体的には、このインライン化手段は、例えば、図４に示すように、アドレス判定手段３０１、第１の選択手段３０２、ショートパルス生成手段３０３、第１のローパスフィルタ手段３０４、第２のローパスフィルタ手段３０５、第２の選択手段３０６、および減算手段３０７を備えて構成される。
【０００７】
このアドレス判定手段３０１は、前記全加算信号、または、トラックの内周側と外周側に対応する光ピックアップから得られる再生信号の差信号に基づいて、入力された信号が、アドレス部が読み込まれた場合の信号か、データ部が読み込まれた場合の信号かを検出し、例えば、図５に示すように、アドレス部が読み込まれた場合の信号である場合は、Ｈｉｇｈレベル（Ｈレベル）、データ部が読み込まれた場合の信号である場合は、Ｌｏｗレベル（Ｌレベル）のアドレス判定信号（ｂ）を第１の選択手段３０２、ショートパルス生成手段３０３、および第２の選択手段３０６に出力するようになっている。
【０００８】
第１の選択手段３０２は、前記アドレス判定信号（ｂ）がＨレベルである場合は、入力された全加算信号を第１のローパスフィルタ手段３０４に出力し、Ｌレベルである場合は、全加算信号を第２のローパスフィルタ手段３０５に出力するようになっている。
【０００９】
ショートパルス生成手段３０３は、前記アドレス判定信号（ｂ）がＨレベルである場合は、前側アドレス、および後側アドレスの先頭で一定時間Ｈレベルとなるアドレス部ショートパルス（ｃ）（図５を参照）を第１のローパスフィルタ手段３０４に出力し、前記アドレス判定信号（ｂ）がＬレベルである場合は、データ部の先頭で一定時間Ｈレベルとなるデータ部ショートパルス（ｈ）（図５を参照）を第２のローパスフィルタ手段３０５に出力するようになっている。
【００１０】
第１のローパスフィルタ手段３０４、および第２のローパスフィルタ手段３０５は、それぞれに入力されたアドレス部ショートパルス（ｃ）、またはデータ部ショートパルス（ｈ）に応じて切り替えられた、カットオフ周波数（例えば、ショートパルスがＨレベルの場合には、高いカットオフ周波数、Ｌレベルの場合には、低いカットオフ周波数）で、それぞれに入力された信号の低域成分を抽出して出力するようになっている。
【００１１】
第２の選択手段３０６は、前記アドレス判定信号（ｂ）がＨレベルの場合は、第１のローパスフィルタ手段３０４の出力データを減算手段３０７に入力し、Ｌレベルの場合は、第２のローパスフィルタ手段３０５の出力信号を減算手段３０７に入力するようになっている。
【００１２】
減算手段３０７は、全加算信号から第２の選択手段３０６の出力信号を減算して出力するようになっている。
【００１３】
このように構成されたインライン化手段では、全加算信号が入力されると、全加算信号がアドレス部が読み込まれた場合の信号であるか、データ部が読み込まれた場合の信号であるかに応じて、アドレス判定手段３０１は、第１の選択手段３０２、ショートパルス生成手段３０３、および第２の選択手段３０６に、アドレス判定信号（ｂ）を出力する。
【００１４】
これにより、全加算信号は、第１の選択手段３０２を介して第１のローパスフィルタ手段３０４、または第２のローパスフィルタ手段３０５に入力され、ショートパルス生成手段３０３の出力するアドレス部ショートパルス（ｃ）がＨレベルの間は、第１のローパスフィルタ手段３０４のカットオフ周波数が高くなり、また、データ部ショートパルス（ｈ）がＨレベルの間は、第２のローパスフィルタ手段３０５のカットオフ周波数が高くなり、第１のローパスフィルタ手段３０４、および第２のローパスフィルタ手段３０５は、それぞれに入力された信号の変化に追従して、低域成分を抽出する。減算手段３０７は、全加算信号から、第１のローパスフィルタ手段３０４、または第２のローパスフィルタ手段３０５で抽出された低域成分を減算して出力する。
【００１５】
このように、全加算信号から、ローパスフィルタ手段で抽出された低域成分が、減算されることによって、アドレス部とデータ部の間のＤＣオフセット成分が打ち消され、ＤＣレベルのそろった信号が生成される。したがって、後段に続くアシンメトリ補正手段、自動ゲイン調整手段、ＰＬＬ手段といった信号処理手段を正常に動作させることが可能になる。
【特許文献１】特開２００３−５１１１９号公報（第４頁、第３０図、第３１図）
【発明の開示】
【発明が解決しようとする課題】
【００１６】
しかしながら、ＤＶＤ−ＲＡＭディスクでは、ユーザデータ等のデータが記録されているデータ部（記録領域）とデータが何も記録されていないデータ部（未記録領域）とが混在しているため、インライン化手段は、例えば、図５に示す、記録領域が２セクタ続いた後、未記録領域が２セクタ続き、また記録領域に戻る入力信号（ａ）のような信号でも正常にＤＣオフセット成分の打ち消しが行える必要がある。
【００１７】
未記録領域が読み込まれた場合の全加算信号は、記録領域が読み込まれた場合の信号に比べて低域成分が高く、図５に示す低域成分Ｖｄに示すように、第２のローパスフィルタ手段３０５で抽出された低域成分のレベルが徐々に高くなっていく。低域成分のレベルが高くなった状態で、低域成分のレベルが低い記録領域の再生に戻ると、前記データ部ショートパルス（ｈ）がＨレベルの期間だけでは、第２のローパスフィルタ手段３０５の出力レベルを正常な値に戻すことができないため（図５の第２の選択手段の出力（ｉ）を参照）、減算手段３０７から出力される信号の低域成分が異常になる（図５の減算手段後の信号（ｊ）を参照）。それゆえ、従来の光ディスク再生装置では、記録領域と未記録領域が混在したＤＶＤ−ＲＡＭを正常に再生しにくくなるという問題を生じる。
【００１８】
また、再生中にデータがドロップアウトしたり、シーク動作が行われている場合には、アドレス部、データ部ともに全加算信号の低域成分が異常になるため、ドロップアウトの後、またはシーク動作終了後に再生を行おうとしても、アドレス部ショートパルス（ｃ）、または、データ部ショートパルス（ｈ）がＨレベルの期間だけでは、第２のローパスフィルタ手段３０５等の出力レベルを正常な値に戻すことができず、減算手段３０７から出力される信号の低域成分が異常になり、再生すべき信号が再生しにくくなる。
【００１９】
本発明は、前記のような問題に着目してなされたものであり、記録領域と未記録領域とが混在したＤＶＤ−ＲＡＭディスクから信号が読み込まれる場合等、入力された信号に含まれる低域成分のレベルが変動する場合にも、光ディスクを正しく再生することができる光ディスク再生装置を提供することを課題とする。
【課題を解決するための手段】
【００２０】
前記の課題を解決するため、請求項１の発明は、
データが記録されるデータ部と、データの記録位置を示すアドレス情報が記録されたアドレス部とを有する光ディスクから信号を読み込んで再生する光ディスク再生装置であって、
前記アドレス部が読み込まれて入力されたアドレス部信号の低域成分を抽出するとともに、ホールド信号に応じて出力を保持する第１のローパスフィルタ手段と、
前記データ部が読み込まれて入力されたデータ部信号の低域成分を抽出するとともに、ホールド信号に応じて出力を保持する第２のローパスフィルタ手段と、
入力されたアドレス部信号またはデータ部信号から、その信号に応じた前記第１のローパスフィルタ手段または第２のローパスフィルタ手段の出力を減算する減算手段と、
前記減算手段の出力に応じて、前記ホールド信号を出力するホールド制御手段と、
を備えたことを特徴とする。
【００２１】
また、請求項２の発明は、
請求項１の光ディスク再生装置であって、
前記ホールド制御手段は、前記減算手段の出力が適切でない場合に、前記ホールド信号を出力して、第１のローパスフィルタ手段、または第２のローパスフィルタ手段に適切な出力を保持させるように構成されていることを特徴とする。
【００２２】
また、請求項３の発明は、
請求項１の光ディスク再生装置であって、
第１のローパスフィルタ手段、および第２のローパスフィルタ手段は、それぞれ抵抗とコンデンサとを備えて構成され、入力信号が遮断されることによって、出力を保持するように構成されていることを特徴とする。
【００２３】
これらにより、減算手段の出力応じて、例えば出力が適切でない場合などには、第１のローパスフィルタ手段、または第２のローパスフィルタ手段の出力が保持され、適切に低域成分の抽出が行われ、アドレス部とデータ部の間のＤＣオフセット成分が打ち消される。
【００２４】
また、請求項４の発明は、
請求項１の光ディスク再生装置であって、
第１のローパスフィルタ手段、および第２ローパスフィルタ手段は、カットオフ周波数を可変に構成され、
さらに、アドレス部信号が入力された際、およびデータ部信号入力された際に、所定の期間、前記第１のローパスフィルタ手段、または第２ローパスフィルタ手段のカットオフ周波数を高くするカットオフ周波数制御手段を備えたことを特徴とする。
【００２５】
これにより、カットオフ周波数が高くなることによって、第１のローパスフィルタ手段、および第２のローパスフィルタ手段から、速やかに、より適切な出力が得られる。
【００２６】
また、請求項５の発明は、
請求項２の光ディスク再生装置であって、
前記ホールド制御手段は、データが記録されていない前記データ部を検出した場合に、前記ホールド信号を出力して、第２のローパスフィルタ手段に適切な出力を保持させるように構成されていることを特徴とする。
【００２７】
また、請求項６の発明は、
請求項２の光ディスク再生装置であって、
前記ホールド制御手段は、光ディスクから読み込まれる信号のドロップアウト、または光ディスクから信号を読み取る光ピックアップのシーク動作の少なくとも１つを検出した場合に、前記ホールド信号を出力して、第１のローパスフィルタ手段、および第２のローパスフィルタ手段に適切な出力を保持させるように構成されていることを特徴とする。
【００２８】
これらにより、記録領域と未記録領域とが混在したＤＶＤ−ＲＡＭディスクから信号が読み込まれる場合や、再生中にデータがドロップアウトしたり、シーク動作が行われることによって、読み込まれた信号の低域成分が異常になる場合であっても、低域成分が正確に抽出され、アドレス部とデータ部の間のＤＣオフセット成分が打ち消される。
【００２９】
また、請求項７の発明は、
請求項１から請求項６のうち何れか１項の光ディスク再生装置であって、
前記ホールド制御手段は、光ディスク再生装置が起動されてから所定の期間は、前記ホールド信号の出力を抑制するように構成されていることを特徴とする。
【００３０】
これにより、ホールド制御手段が誤動作してデータを再生できなくなるという現象を回避し、安定したシステム起動、およびデータの再生を行うことが可能になる。
【発明の効果】
【００３１】
本発明によれば、記録領域と未記録領域とが混在したＤＶＤ−ＲＡＭディスクから信号が読み込まれる場合等、入力された信号に含まれる低域成分のレベルが変動する場合にも光ディスクを正しく再生することができる。
【発明を実施するための最良の形態】
【００３２】
以下、本発明の実施形態について図面を参照しながら説明する。
【００３３】
（光ディスク再生装置の構成）
図１は、発明の実施形態にかかる光ディスク再生装置の構成を示すブロック図である。
【００３４】
同図に示すように、本光ディスク再生装置は、アドレス判定手段１０１、第１の選択手段１０２、ショートパルス生成手段１０３、第１のローパスフィルタ手段１０４、第２のローパスフィルタ手段１０５、第２の選択手段１０６、減算手段１０７、およびホールド制御手段１０８を備えている。
【００３５】
前記アドレス判定手段１０１には、光ピックアップから出力された信号（全加算信号）、または、トラックの内周側と外周側に対応する光ピックアップから得られる再生信号の差信号の何れかが入力され、入力された信号がアドレス部が再生された信号であるか否か、を示すアドレス判定信号（ｂ）（例えば、入力された信号がアドレス部が再生された信号である場合は、Ｈレベルの信号、アドレス部が再生された信号でないない場合は、Ｌレベルの信号）を出力するようになっている。
【００３６】
第１の選択手段１０２は、前記アドレス判定信号（ｂ）、および後述するホールド制御信号（ｅ）に応じて、全加算信号を第１のローパスフィルタ手段１０４、および第２のローパスフィルタ手段１０５のうちの何れか一方に入力するとともに、他方の入力をオープン状態（ハイインピーダンス状態）にするか、または両方の入力をオープン状態（ハイインピーダンス状態）にするようになっている。
【００３７】
ショートパルス生成手段１０３は、前記アドレス判定信号（ｂ）に応じて、前側アドレス、および後側アドレスを示すアドレス部ショートパルス（図２を参照）を第１のローパスフィルタ手段１０４に出力するとともに、アドレス判定信号（ｂ）の立下りから所定の遅延時間（後述するホールド制御信号（ｅ）の立ち上がりよりも遅延して立ち上がるように定められた遅延時間）だけ遅延してデータ部ショートパルス（ｄ）（図２を参照）を第２のローパスフィルタ手段１０５に出力するようになっている。
【００３８】
第１のローパスフィルタ手段１０４、および第２のローパスフィルタ手段１０５は、アドレス部ショートパルス（ｃ）、またはデータ部ショートパルス（ｄ）に応じて切り替えられたカットオフ周波数で、それぞれに入力された信号の低域成分（ＤＣ成分）を抽出し、また、入力がオープン状態にされた場合は、そのときの出力の電位を保持するようになっている。具体的には、第１のローパスフィルタ手段１０４、および第２のローパスフィルタ手段１０５は、例えば、抵抗値が可変な１次のＲＣローパスフィルタ手段で構成され、前記カットオフ周波数が前記アドレス部、またはデータ部の先頭での信号変化に追従可能なように前記抵抗値が切り替えられ、また、入力がオープン状態の場合は、コンデンサに蓄積された電荷によって、出力電位を保持するようになっている。
【００３９】
前記アドレス判定手段１０１、および、ショートパルス生成手段１０３によって、アドレス部が読み込まれた際、およびデータ部が読み込まれた際に、所定の期間、前記第１のローパスフィルタ手段１０４、または第２ローパスフィルタ手段１０５のカットオフ周波数を高くするカットオフ周波数制御手段が構成される。
【００４０】
第２の選択手段１０６は、アドレス判定信号（ｂ）に応じて、第１のローパスフィルタ手段１０４の出力信号、または第２のローパスフィルタ手段１０５の出力信号の何れかを選択して減算手段１０７に出力するようになっている。
【００４１】
減算手段１０７は、全加算信号から、第２の選択手段１０６を介して入力された第１のローパスフィルタ手段１０４の出力信号（アドレス部の低域成分）、または第２のローパスフィルタ手段１０５の出力信号（データ部の低域成分）を減算して出力するようになっている。
【００４２】
ホールド制御手段１０８は、減算手段１０７の出力信号が入力され、入力された信号が記録領域から読み込まれたものか、未記録領域から読み込まれたものかを検出し、ホールド制御信号（ｅ）（例えば、未記録領域から読み込まれたものである場合には、Ｈレベルの信号、記録領域から読み込まれたものである場合は、Ｌレベルの信号）を第１の選択手段１０２に出力するようになっている（図２を参照）。具体的には、例えば、未記録領域では、読み込まれた信号は、ＡＣ成分をほとんど持たないという特徴を有していることを利用し、入力された信号の振幅を検出して、振幅が所定の閾値を下回ったか否かに応じて、前記ホールド制御信号（ｅ）を出力するようになっている。
【００４３】
（光ディスク再生装置の動作）
例えば、図２に示す入力信号（ａ）が読み込まれる場合の本光ディスク再生装置の動作を説明する。同図に示す入力信号（ａ）は、データが記録されているデータ部（記録領域）が２セクタ続いた後、データが記録されていないデータ部（未記録領域）が２セクタ続き、また記録領域に戻る信号である。
【００４４】
まず、記録領域（データ部）が読み込まれると、アドレス判定手段１０１の出力するアドレス判定信号（ｂ）がＬレベルになり、第１の選択手段１０２、および第２の選択手段１０６が第２のローパスフィルタ手段１０５側に切り替わる。また、ショートパルス生成手段１０３は、第２のローパスフィルタ手段１０５に、データ部ショートパルス（ｄ）を入力する。
【００４５】
第２のローパスフィルタ手段１０５は、データ部ショートパルス（ｄ）が入力されている期間だけ、カットオフ周波数が高くなり、記録領域の先頭での信号の変動に追従し、低域成分の抽出を行う。第２のローパスフィルタ手段１０５によって抽出された低域成分は、第２の選択手段１０６を介して減算手段１０７に入力され、減算手段１０７は、入力信号（ａ）から、第２のローパスフィルタ手段１０５で抽出された低域成分（図２のＤＣ成分Ｖｄを参照）を減算する。これにより、記録領域の低域成分が、ほぼ打ち消される。
【００４６】
次に、アドレス部が読み込まれると、アドレス判定手段１０１の出力するアドレス判定信号（ｂ）がＨレベルになり、第１の選択手段１０２、および第２の選択手段１０６が第１のローパスフィルタ手段１０４側に切り替わる。ショートパルス生成手段１０３からは、アドレス部ショートパルス（ｃ）が、第１のローパスフィルタ手段１０４に出力される（前記前側アドレス、および後側アドレスのそれぞれに対してパルスが出力される）。第１のローパスフィルタ手段１０４は、アドレス部ショートパルス（ｃ）が入力されている期間だけ、カットオフ周波数が高くなり、アドレス部の先頭での信号の変動に追従し、低域成分の抽出を行う。第１のローパスフィルタ手段１０４で抽出された低域成分は、第２の選択手段１０６を介して減算手段１０７に入力され、減算手段１０７は、入力信号（ａ）から、第１のローパスフィルタ手段１０４で抽出された低域成分（図２のＤＣ成分Ｖａを参照）を減算する。これにより、アドレス部の低域成分が、ほぼ打ち消される。
【００４７】
また、記録領域とアドレス部がさらに続く場合も同様の動作が行われ、それぞれの低域成分が、ほぼ打ち消される。
【００４８】
このように、記録領域（データ部）とアドレス部が連続して読み込まれる場合、前記の動作によって、第２の選択手段１０６の出力信号は、図２に示す第２の選択手段の出力（ｆ）のようになり、記録領域（データ部）とアドレス部との間のＤＣオフセット成分が打ち消され、後段に続く信号処理を正常に行うことが可能になる。
【００４９】
次に、未記録領域が読み込まれると、アドレス判定信号（ｂ）がＬレベルになって第１の選択手段１０２、および第２の選択手段１０６が第２のローパスフィルタ手段１０５側に切り替わる。
【００５０】
アドレス判定信号（ｂ）がＬレベルになってからホールド制御手段１０８が未記録領域を検出するまでの期間は、データ部ショートパルス（ｄ）が、図３に示すように、Ｌレベルなので、第２のローパスフィルタ手段１０５のカットオフ周波数は、低いままである。
【００５１】
したがって、第２のローパスフィルタ手段１０５に、未記録領域が読み取られた際の入力信号（ａ）（低域成分）が入力されても、アドレス判定信号（ｂ）がＬレベルになってからデータ部ショートパルス（ｄ）がＨレベルになるまでの期間は、第２のローパスフィルタ手段１０５は、未記録領域の低域成分に追従せず、第２のローパスフィルタ手段１０５は、直前に読み込まれた記録領域の低域成分とほぼ同電位の信号を出力する。ホールド制御手段１０８が未記録領域を検出して、ホールド制御信号（ｅ）がＨレベルになると、第１の選択手段１０２の出力がオープン状態になり、第２のローパスフィルタ手段１０５は、その時出力していた低域成分、すなわち、直前に読み込まれた記録領域の低域成分とほぼ同電位の低域成分を保持する。
【００５２】
ショートパルス生成手段１０３は、ホールド制御信号（ｅ）の立ち上がりから所定時間だけ遅延してデータ部ショートパルス（ｄ）を出力し、第２のローパスフィルタ手段１０５のカットオフ周波数が高くなるが、第２のローパスフィルタ手段１０５の入力は、ハイインピーダンス状態なので、直前に読み込まれた記録領域の低域成分とほぼ同電圧の低域成分を保持したままになる。
【００５３】
第２のローパスフィルタ手段１０５の出力は、第２の選択手段１０６を介して、減算手段１０７に入力され、減算手段１０７は、入力信号（ａ）から、第２のローパスフィルタ手段１０５が保持した低域成分を減算して出力する。引き続き、アドレス部、未記録領域、アドレス部の順で読み込みが行われると、減算手段１０７によって、入力信号（ａ）から、第１のローパスフィルタ手段１０４の出力信号、または、第２のローパスフィルタ手段１０５で保持されている低域成分が減算されて、出力される。
【００５４】
次に、記録領域が読み込まれると、アドレス判定信号（ｂ）、およびホールド制御信号（ｅ）がＬレベルになる。これによって、第１の選択手段１０２が第２のローパスフィルタ手段１０５側に切り替わり、第２のローパスフィルタ手段１０５には、記録領域からの入力信号（ａ）が入力される。
【００５５】
アドレス判定信号（ｂ）がＬレベルになって所定時間経過後、第２のローパスフィルタ手段１０５に、データ部ショートパルス（ｄ）が入力されると、第２のローパスフィルタ手段１０５のカットオフ周波数が高くなる。第２のローパスフィルタ手段１０５は、記録領域の低域成分とほぼ同電位の低域成分（Ｖｄ）を保持しているので、データ部ショートパルス（ｄ）が出ている間に、リークなどにより減少した電位を回復することができ、正常な低域成分の抽出が行え、図５の減算手段後の信号（ｊ）のような低域成分の変動がなくなる（図２の減算手段後の信号（ｇ）参照）。
【００５６】
このように、本実施形態によれば、記録領域と未記録領域が混在したＤＶＤ−ＲＡＭであっても、正常に入力信号を再生することが可能になる。
【００５７】
なお、再生中にデータ等がドロップアウトしたり、シーク動作が行われる場合など、アドレス部、データ部ともに、低域成分が正常ではなくなる現象を検出するようにホールド制御手段１０８を構成し（複数の現象を検出できるように構成してもよい）、このような現象が検出された場合、第１の選択手段１０２の出力をハイインピーダンス状態にすることによって、第２のローパスフィルタ手段１０５の出力電圧、および第１のローパスフィルタ手段１０４の出力電圧を保持するようにしてもよい。これにより、シーク動作中等の入力信号の低域成分の変動に第１のローパスフィルタ手段１０４、および第２のローパスフィルタ手段１０５の出力が追従することがなくなり、ドロップアウトの後、またはシーク動作終了後等、低域成分が正常に戻った後に読み込まれるデータを安定して再生することが可能になる。なお、データのドロップアウトは、例えば、入力された信号の振幅を検出して、振幅が所定の閾値を下回ったか否かによって、検出が可能であり、また、シーク動作の検出は、例えば、光ピックアップの位置を制御しているＣＰＵ等が出力する制御信号から検出することが可能である。
【００５８】
また、光ディスク再生装置の起動時には、一定期間、ホールド制御手段１０８にＨレベルの前記ホールド制御信号（ｅ）を出力させないようにしてもよい。起動時には、全加算信号は、アドレス部とデータ部が所定の間隔であるとは限らず、全加算信号の振幅も変動しているが、これらの影響で、ホールド制御手段１０８が誤動作してデータを再生できなくなるという現象を回避し、安定したシステム起動、およびデータの再生を行うことが可能になる。
【産業上の利用可能性】
【００５９】
本発明にかかる光ディスク再生装置は、記録領域と未記録領域とが混在したＤＶＤ−ＲＡＭディスクから信号が読み込まれる場合等、入力された信号に含まれる低域成分のレベルが変動する場合にも光ディスクを正しく再生することができるという効果を有し、ＤＶＤ−ＲＡＭディスク等の光ディスクから信号を読み込んで再生する光ディスク再生装置等として有用である。
【図面の簡単な説明】
【００６０】
【図１】本発明の実施形態にかかる光ディスク再生装置を示すブロック図である。
【図２】本発明の実施形態にかかる各ノードの信号タイミングを示す図である。
【図３】本発明の実施形態にかかるアドレス判定信号（ｂ）等の詳細なタイミングを示す図である。
【図４】従来の光ディスク再生装置の構成を示すブロック図である。
【図５】従来の光ディスク再生装置の各ノードの信号タイミングを示す図である。
【符号の説明】
【００６１】
１０１      アドレス判定手段
１０２      第１の選択手段
１０３      ショートパルス生成手段
１０４      第１のローパスフィルタ手段
１０５      第２のローパスフィルタ手段
１０６      第２の選択手段
１０７      減算手段
１０８      ホールド制御手段
３０１      アドレス判定手段
３０２      第１の選択手段
３０３      ショートパルス生成手段
３０４      第１のローパスフィルタ手段
３０５      第２のローパスフィルタ手段
３０６      第２の選択手段
３０７      減算手段
【図１】
2006048819.tif 000003
【図２】
2006048819.tif 000004
【図３】
2006048819.tif 000005
【図４】
2006048819.tif 000006
【図５】
2006048819.tif 000007